(57)【要約】【課題】異径ダクトが接続変更可能で施工性が容易な換気ボックスを提供することを目的とする。【解決手段】天井壁１３裏内に納められ、ダクトＡ１４、ダクトＢ１５と接続される径の異なるダクト接続口１、３を有するダクト接続部２、４を下面に開口部９を有した本体６の側面に備え、ダクト接続部２、４は、本体６の下方からの操作により、本体６に備えたダクト接続部２、４の固定手段１１を解除して本体６の内側へ離脱される構成とすることにより、異径ダクトが接続変更可能で、２方向以上の風路を確保でき、また本体６内部よりダクト接続部２、４の取り付けができる施工性が容易な換気ボックスを提供できる。【選択図】図１ 
2005147578.tif 000002
【特許請求の範囲】
【請求項１】
天井壁裏側に納められ、ダクトと接続される径の異なるダクト接続口を有する複数のダクト接続部を下面に開口部を有した本体の側面に備え、前記ダクト接続部は、前記本体の下方からの操作により、前記本体に備えた前記ダクト接続部の固定手段を解除して前記本体の内側へ離脱されることを特徴とする換気ボックス。
【請求項２】
複数のダクト接続部を本体側面のうちの少なくとも３側面に設けたこと特徴とする請求項１に記載の換気ボックス。
【請求項３】
固定手段を本体の下面側に設けたことを特徴とする請求項１または２に記載の換気ボックス。
【請求項４】
固定手段をダクトにより搬送される空気の流路より離れた部位に配設し、前記ダクト接続部と前記本体とを略鉛直上向き方向に固定ねじにて締結する構成とすることを特徴とする請求項３記載の換気ボックス。
【請求項５】
本体の周囲を覆う形状で、住宅構造体に取り付けるための取付フランジを有した枠体を備え、前記枠体によりダクト接続部を有さない本体の側面を挟み込むことを特徴とする請求項１〜４のいずれかに記載の換気ボックス。
【請求項６】
天井壁裏側に本体を納め、前記本体の下面側に形成された取付フランジにねじ止めして前記本体を前記天井壁に固定し、前記本体の側面に設けたダクト接続部を前記本体に固定する固定手段を前記本体の下方から解除し、前記ダクト接続部を前記本体の内側へ離脱させ引き出すとともに、前記天井壁裏側に配されたダクトを前記本体の内側に引き出し、前記ダクトと前記ダクト接続部を接続した状態で、前記ダクト接続部を前記本体の所定の側面に設置して前記固定手段により前記本体に取り付ける換気ボックスの施工方法。
【発明の詳細な説明】
【技術分野】
【０００１】
本発明は、複数のダクト接続部を備えた換気ボックスに関するものである。
【背景技術】
【０００２】
従来の換気ボックスは、本体の側壁に設けられたダクト接続部を換気ボックス外側から着脱するものが知られている（例えば、特許文献１参照）。
【０００３】
以下、従来の換気ボックスについて図８を参照しながら説明する。
【０００４】
図８に示すように、換気ボックス１０１は、側壁１０２を換気ボックス本体１０３に対して取り外し可能に構成している。側壁１０２にフレキシブルダクト１０４を装着し、側壁１０２を反転させてフレキシブルダクト１０４を縮めた状態で、換気ボックス１０１の内部にフレキシブルダクト１０４を収納した状態で、輸送や搬入作業、並びにフレキシブルダクト１０４の換気ボックス１０１内での保管を可能としている。
【特許文献１】特開２０００−１７１０８４号公報
【発明の開示】
【発明が解決しようとする課題】
【０００５】
このような従来の換気ボックスでは、着脱可能なダクト接続部を有する空調空気搬送用の換気ボックスは、空気導入部１０５のダクト接続径と空気吹出し部１０６のダクト接続径が同一であり、風量確保が必要なときにダクト径が大きくしたい場合や、天井内部にダクトを配管できなく、ダクト径を小さくしたい場合に接続するダクト接続径を現場において変更できないという課題があった。
【０００６】
また、ダクト接続方向が、空気導入部１０５と空気吹出し口１０６の一方向のみに限定されているため、天井の梁などを避けて配管したい場合にダクトを接続する位置を変更できないという課題があった。
【０００７】
さらに、換気ボックス１０１の側壁１０２は換気ボックス１０１の外側より取り付ける構造となっているため取り付けが困難という課題があった。
【０００８】
本発明は、このような従来の課題を解決するものであり、ダクト接続径の異なるダクトを接続でき、２方向以上の風路を選択でき、また本体内部よりダクト接続部を取り付けできる施工性に優れた換気ボックスを提供することを目的としている。
【課題を解決するための手段】
【０００９】
本発明の換気ボックスは上記目的を達成するために、天井壁裏側に納められ、ダクトと接続される径の異なるダクト接続口を有する複数のダクト接続部を下面に開口部を有した本体の側面に備え、前記ダクト接続部は、前記本体の下方からの操作により、前記本体に備えた前記ダクト接続部の固定手段を解除して前記本体の内側へ離脱されること特徴とするものである。
【００１０】
この手段により、適切な径のダクトを選択して接続することのできる換気ボックスが得られる。
【００１１】
また、複数のダクト接続部を本体側面のうちの少なくとも３側面に設けたものである。
【００１２】
この手段により、ダクトを接続する方向を２方向以上に選択できる換気ボックスが得られる。
【００１３】
また、固定手段を本体の下面側に設けたものである。
【００１４】
この手段により、施工性に優れた換気ボックスが得られる。
【００１５】
また、固定手段をダクトにより搬送される空気の流路より離れた部位に配設し、ダクト接続部と前記本体とを略鉛直上向き方向に固定ねじにて締結する構成としたものである。
【００１６】
この手段により、固定手段が通風冷気により結露するのを防止できるとともに、施工性に優れた換気ボックスが得られる。
【００１７】
また、本体の周囲を覆う形状で、住宅構造体に取り付けるための取付フランジを有した枠体を備え、前記枠体によりダクト接続部を有さない本体の側面を挟み込む構成としたものである。
【００１８】
この手段により、ダクト接続のためのスペースを確保した施工性に優れた換気装置が得られる。
【００１９】
また、天井壁裏側に本体を納め、前記本体の下面側に形成された取付フランジにねじ止めして前記本体を前記天井壁に固定し、前記本体の側面に設けたダクト接続部を前記本体に固定する固定手段を前記本体の下方から解除し、前記ダクト接続部を前記本体の内側へ離脱させ引き出すとともに、前記天井壁裏側に配されたダクトを前記本体の内側に引き出し、前記ダクトと前記ダクト接続部を接続した状態で、前記ダクト接続部を前記本体の所定の側面に設置して前記固定手段により前記本体に取り付ける換気ボックスの施工方法である。
【００２０】
この手段により、本体の内側からダクト接続部を前記本体に取り付けできるので、施工性に優れた換気ボックスが得られる。
【発明の効果】
【００２１】
本発明によれば、施工性に優れた換気ボックスを提供することができる。
【発明を実施するための最良の形態】
【００２２】
本発明の請求項１記載の発明は、天井壁裏側に納められ、ダクトと接続される径の異なるダクト接続口を有する複数のダクト接続部を下面に開口部を有した本体の側面に備え、前記ダクト接続部は、前記本体の下方からの操作により、前記本体に備えた前記ダクト接続部の固定手段を解除して前記本体の内側へ離脱されることを特徴とする換気ボックスであるので、住宅構造体により前記ダクト接続部の取り付け方向に制約が生じた場合、前記ダクト接続部の前記本体への設置方向を容易に変更可能であり、前記ダクト接続部の増設も容易になるため、風量変更あるいは施工上の制約に応じて接続するダクト径を現場において変更することができ、または、現場でのプラン変更などが容易になり、また、前記ダクト接続部にダクトを装着した状態で換気ボックスの本体の内側から前記ダクト接続部の取り付けができ、施工性が容易になるという作用を有する。
【００２３】
また、請求項２記載の発明は、請求項１記載の換気ボックスについて、複数のダクト接続部を本体側面のうちの少なくとも３側面に設けたことにより、本体に接続するダクトの方向を２方向以上に選択できるので、現場の施工条件に適合したダクト配管施工が可能になるという作用を有する。
【００２４】
また、請求項３記載の発明は、請求項１または２記載の換気ボックスについて、前記固定手段を前記本体の下面側に設けたことにより、前記ダクト接続部を前記本体から着脱する際に、その一連の作業を前記本体の内部側で行うことなく、前記本体の下面側にて作業が完了できるので、前記ダクト接続部の着脱作業をするための作業スペースが、前記本体の大きさや、構造の制約を受けることなく十分に確保できるという作用を有する。
【００２５】
また、請求項４記載の発明は、請求項３記載の換気ボックスについて、前記固定手段をダクトにより搬送される空気の流路より離れた部位に配設し、前記ダクト接続部と前記本体とを略鉛直上向き方向に固定ねじにて締結したことにより、前記ダクト接続部を前記本体から着脱する際、上向き作業にて容易に着脱作業が可能となり、また前記固定手段が前記ダクトによる搬送空気の雰囲気にさらされていないため、搬送空気の温度条件による前記本体の結露などの不具合を回避できるという作用を有する。
【００２６】
請求項５記載の発明は、請求項１〜４のいずれかに記載の換気ボックスについて、前記本体の周囲を覆う形状で、住宅構造体に取り付けるための取付フランジを有した枠体を備え、前記枠体によりダクト接続部を有さない本体の側面を挟み込むことにより、前記ダクト接続部を有する前記本体の壁面に、前記枠体と前記本体とを固定させるための挟み込み構造が不要となるため、前記ダクト接続部をよりダクト径の大きいダクトに対応するダクト接続部に変更装着する場合のスペース確保が容易に可能となるという作用を有する。
【００２７】
請求項６記載の発明は、天井壁裏側に本体を納め、前記本体の下面側に形成された取付フランジにねじ止めして前記本体を前記天井壁に固定し、前記本体の側面に設けたダクト接続部を前記本体に固定する固定手段を前記本体の下方から解除し、前記ダクト接続部を前記本体の内側へ離脱させ引き出すとともに、前記天井壁裏側に配されたダクトを前記本体の内側に引き出し、前記ダクトと前記ダクト接続部を接続した状態で、前記ダクト接続部を前記本体の所定の側面に設置して前記固定手段により前記本体に取り付ける換気ボックスの施工方法であり、前記本体の内側から、ダクトの装着、設置および付け替えが可能なため、現場でダクトの口径を変更したい場合に容易に対応できるという作用を有する。
【００２８】
以下、本発明の実施の形態について図面を参照しながら説明する。
【００２９】
（実施の形態１）
図１〜図６に示すように、本発明の換気ボックスは、天井壁１３裏側に納められ、ダクトＡ１４、ダクトＢ１５と接続される径の異なるダクト接続口１、３を有するダクト接続部２、４を下面に開口部９を有した本体６の側面に備え、ダクト接続部２、４は、本体６の下方からの操作により、本体６に備えたダクト接続部２、４の固定手段１１を解除して本体６の内側へ離脱される構成とする。
【００３０】
本体６は、その側面にダクトＡ１４、ダクトＢ１５が接続されて室外と連通するダクト接続部２、４を備え、ダクト接続部２は大径のダクト接続口１を有し、ダクト接続部２の対向する本体６の側面に設けられたダクト接続部４はダクト接続口１よりも小径のダクト接続口３を有する。ダクト接続部２および４はともにダクト接続口１、３に向かってその外径が小径となるように大径部と小径部からなる段差を備え、それぞれダクト１４、１５が接続されるとダクト接続部の大径部とほぼ同一の外径寸法となるように構成されている。
【００３１】
フレーム５とダクト接続部２、４は、本体６の周囲を覆う形状で、住宅構造体に取り付けるための外方に突出した取付フランジ７を有した枠体８で覆われ、本体６に設けた固定手段１１を解除することによりダクト接続部２とダクト接続部４は、本体６の内側から離脱する構成である。
【００３２】
本体６には、通風路に存在し、室内外からの塵、ほこりなどを集塵するフィルター（図示せず）を備え、このフィルターを保持し、本体６の下方を密閉する蓋１０を配設する。
【００３３】
本体６の内側から離脱可能なダクト接続部２、４は、それぞれ下方端部を略コの字状で取付用のねじ穴を備え本体６の下面側に設けた固定手段１１によりダクト接続部２、４の下端部を下方から包み込むように保持され、固定手段１１をフレーム５または枠体８に固定することによって本体６に固定されることになる。
【００３４】
固定手段１１は、ダクト接続部２とダクト接続部４を有さない両側面の下方に配設し、ねじ用の穴を備えたそれぞれの補助枠１２と連結するように略鉛直上向き方向に固定ねじにて締結されており、固定手段１１と補助枠１２は、本体６の下部端面に位置し、蓋１０により密閉されるためダクトにより搬送される空気の流路より離れた位置に配設する。固定手段１１を有したダクト接続部２、４のダクト施工時には、下方より固定手段１１のねじを外してダクト接続部２、４を本体６の内側に引き抜き、配管されるダクト１４、１５をダクト接続口１、３に取り付け、テーピング等によりダクト１４、１５をダクト接続部２、４に固定し、ダクト接続部２、４を元の本体６側面に戻し、固定手段１１をねじによりフレーム５または枠体８に固定することになる。
【００３５】
フレーム５、ダクト接続部２、４は、発泡材などの断熱材料にて成形されている。
【００３６】
補助枠１２は、住宅構造体に取り付けるための取付フランジ７を有しダクト接続部２、４を有さない側面にねじ用の穴を備えた枠体８との間にフレーム５を介して挟み込み、ダクト接続部２、４を有さない方向へねじによって固定される。
【００３７】
本発明の換気ボックスの施工方法は、天井壁１３裏側に本体６を納め、本体６の下面側に形成された取付フランジ７にねじ止めして本体６を天井壁１３に固定し、本体６の側面に設けたダクト接続部２、４を本体６に固定する固定手段１１を本体６の下方から解除し、ダクト接続部２、４を本体６の内側へ離脱させ引き出すとともに、天井壁１３裏側に配されたダクトＡ１４、ダクトＢ１５を本体６の内側に引き出し、ダクトＡ１４、ダクトＢ１５とダクト接続部２、４を接続した状態で、ダクト接続部２、４を本体６の元の側面に設置して固定手段１１により本体６に取り付けるものである。
【００３８】
口径がφ１００のダクトＢ１５は本体６の内側から内径がφ１００のダクト接続口３を備えた取り外し可能なダクト接続部４に装着され、本体６の内側から固定される構成である。
【００３９】
開口部９は蓋１０により密閉され、蓋１０および取付フランジ７が天井壁１３より露出しないよう本体６の下部にルーバー１６を覆うように設ける。
【００４０】
上記構成において、ダクト１４、１５と連通するように設けられる送風機（図示せず）を運転すると、ダクト１５内を通って空気が搬送されダクト接続部４内から本体６内に通風され、内部のフィルターにより塵、ほこりなどが除塵された後、ダクト接続部２内からダクト１４内を通ってダクト１４が連通する室内にきれいな空気が給気されることとなる。
【００４１】
このように本発明の換気ボックスによれば、天井壁１３裏内に納められ、ダクトＡ１４、ダクトＢ１５と接続される径の異なるダクト接続口１、３を有するダクト接続部２、４を下面に開口部９を有した本体６の側面に備え、ダクト接続部２、４は、本体６の下方からの操作により、本体６に備えたダクト接続部２、４の固定手段１１を解除して本体６の内側へ離脱されるので、風量確保が必要なときにダクト径を大きくしたい場合、天井内部にダクトを配管できなくダクト径を小さくしたい場合に対応してダクト径を大きく変更したい場合、または、住宅構造体によりダクト接続部の取り付け方向に制約が生じて接続するダクトの径を変更したい場合には、ダクト接続部２、４の本体への設置方向を容易に変更可能であり、現場において変更することができるため、現場でのプラン変更などが容易になる。また、ダクト接続部にダクトを装着した状態で本体の内側からダクト接続部の取り付けができ、施工性が容易になる。
【００４２】
また、固定手段１１はダクト接続部２とダクト接続部４を有さない両側面の下方であって本体６の下面側に設けたので、ダクト接続部２とダクト接続部４を本体６から着脱する際に、その一連の作業を本体６内側で行うことなく、本体６の下面にて作業が完了できる。これは、ダクト接続部の着脱作業に起因する作業スペースが、本体６の内部空間から本体６の下方になることで、本体６の構造の制約を受けることなく十分に確保できるからである。
【００４３】
また、固定手段１１をダクトにより搬送される空気の流路より離れた部位に配設し、ダクト接続部２、４と本体６とを略鉛直上向き方向に固定ねじにて締結したことにより、ダクト接続部２とダクト接続部４を本体６から着脱する際、工具の上向き作業にて容易に着脱作業が可能となり、また、ダクト接続口１より吸込み、ダクト接続口３より吹出す風路が形成されていた場合、固定手段１１と補助枠１２は、本体６の下方外周端面に位置し、蓋１０により密閉されおり、搬送空気は断熱材料のみで覆われた本体６内部を通過するため、搬送空気の温度条件による本体６の結露などの不具合を回避することができる。
【００４４】
また、本体６の周囲を覆う形状で、住宅構造体に取り付けるための取付フランジ７を有した枠体８を備え、枠体８によりダクト接続部２、４を有さない本体６の側面を挟み込むことにより、ダクト接続部を有する本体６の側面に、枠体８とフレーム５とを固定させるための挟み込み構造が不要のため、ダクト接続部をよりダクト径の大きいダクトに対応するダクト接続部に変更装着する場合のスペース確保が容易に可能となる。
【００４５】
（実施の形態２）
図７に示すように、本体６に、口径がφ１５０のダクト接続口１を備えたダクト接続部２と、ダクト接続部２に対向する側面に口径がφ１００のダクト接続口３を備えたダクト接続部４とを設け、これらのダクト接続部２、４に隣り合う側面の一方に口径がφ１２５のダクト接続口１７を備えダクトのサイズに合わせて装着可能な異径の複数段差を備えたダクト接続部１８を設け、ダクト接続部１８に対向する側面には、口径がφ７５のダクト接続口１９を備えダクトのサイズに合わせて装着可能な異径の複数段差を備えたダクト接続部２０を設ける構成とする。その他の構成は実施の形態１と同様でありその説明は省略する。
【００４６】
なお、施工現場、換気設計上の理由により、ダクト接続が不要となる本体６の側面においては、ダクト接続口に目張りをして開口を塞げば、適宜接続するダクトの本数を選択できる換気ボックスが得られる。
【００４７】
このように本発明の換気ボックスによれば、複数のダクト接続部２、４、１８、２０を本体６の側面に４箇所にわたり設けたことにより、施工現場の状況に適合させて本体６に接続するダクトの方向を２方向以上に選択できるので、現場の施工条件に適合したダクト配管施工が可能になる。また、ダクト接続部の増設も容易になる。
【産業上の利用可能性】
【００４８】
本発明の換気ボックスは、優れた施工性を有し、フィルターを備えた給気清浄フィルターユニットやファンケーシングを備えた中間ダクトファン、熱交換気ユニット、天井埋め込み型換気扇等の用途として有効である。
【図面の簡単な説明】
【００４９】
【図１】本発明の実施の形態１の換気ボックスの構成を示す斜視図
【図２】同換気ボックスの蓋を取り付けた状態を示す斜視図
【図３】同換気ボックスの固定手段を示す斜視図
【図４】同換気ボックスのダクト接続部の固定を示す斜視図
【図５】同換気ボックスの枠体挟み構造を示す斜視図
【図６】同換気ボックスの設置状態を示す側面図
【図７】本発明の実施の形態２の換気ボックスを示す下面図
【図８】従来の換気ボックスを示す斜視図
【符号の説明】
【００５０】
１    ダクト接続口
２    ダクト接続部
３    ダクト接続口
４    ダクト接続部
６    本体
７    取付フランジ
８    枠体
９    開口部
１１  固定手段
１３  天井壁
１４  ダクトＡ
１５  ダクトＢ
１７  ダクト接続口
１８  ダクト接続部
１９  ダクト接続口
２０  ダクト接続部
【図１】
2005147578.tif 000003
【図２】
2005147578.tif 000004
【図３】
2005147578.tif 000005
【図４】
2005147578.tif 000006
【図５】
2005147578.tif 000007
【図６】
2005147578.tif 000008
【図７】
2005147578.tif 000009
【図８】
2005147578.tif 000010